【手続補正書】
【提出日】平成26年7月22日(2014.7.22)
【手続補正１】
【補正対象書類名】特許請求の範囲
【補正対象項目名】全文
【補正方法】変更
【補正の内容】
【特許請求の範囲】
【請求項１】
複数の吐出口が配列した吐出口列である第１吐出口列と第２吐出口列とが記録媒体との相対的な走査の方向に沿って並び、前記第１吐出口列の端部と前記第２吐出口列の端部とが重複部を形成するように配置された記録ヘッドを用いて、前記吐出口からインクを吐出することにより前記記録媒体に画像を記録するための記録データを生成する画像処理装置であって、
前記重複部に対応する画像データに基づいて、前記第１吐出口列の吐出口のうち前記重複部に配置された吐出口の記録比率が、前記第１吐出口列の中央部から端部に向かう方向に沿って小さくなるように前記第１吐出口列の前記重複部に配置された吐出口のための画像記録用の第１の記録用データを生成し、前記第２吐出口列の吐出口のうち前記重複部に配置された吐出口の記録比率が前記第２吐出口列の中央部から端部に向かう方向に沿って小さくなるように前記第２吐出口列の前記重複部に配置された吐出口のための画像記録用の第２の記録用データを生成する第１生成手段と、
前記重複部に配置された吐出口から予備吐出を行うための予備吐出データに基づいて、前記第１吐出口列の前記重複部に配置された前記吐出口からインクを予備吐出するための第１予備吐出データを生成し、前記第２の吐出口列の前記重複部に配置された前記吐出口からインクを予備吐出するための第２予備吐出データを生成する第２生成手段と、
前記第１の記録用データ及び前記第１予備吐出データに基づいて、前記第１吐出口列の前記重複部に配置された前記吐出口からインクを吐出するための第１吐出データを生成し、前記第２の記録用データ及び前記第２予備吐出データに基づいて、前記第２の吐出口列の前記重複部に配置された前記吐出口からインクを吐出するための第２吐出データを生成する第３生成手段と、
を備え、
前記第１予備吐出データにおける記録比率の変化の割合は、前記第１の記録用データにおける記録比率の変化の割合よりも小さく、前記第２予備吐出データにおける記録比率の変化の割合は、前記第１の記録用データにおける記録比率の変化の割合よりも小さいことを特徴とする画像処理装置。
【請求項２】
前記第３生成手段は、前記第１の記録用データと前記第１予備吐出データとの論理和を取ることにより前記第１吐出データを生成し、前記第２の記録用データと前記第２予備吐出データとの論理和を取ることにより前記第２吐出データを生成することを特徴とする請求項１に記載の画像処理装置。
【請求項３】
前記第２生成手段は、前記第１及び第２吐出口列の吐出口の配列方向における記録比率が一定となるように前記第１予備吐出データ及び第２予備吐出データを生成することを特徴とする請求項１または２に記載の画像処理装置。
【請求項４】
前記重複部に配置された吐出口から予備吐出を行うための予備吐出データの記録デューティは、前記第１吐出口列の中央部に配置された吐出口のみで記録可能な前記記録媒体上の第２所定領域に対して予備吐出を行うための第３予備吐出データの記録デューティと略同じであることを特徴とする請求項１から３のいずれか１項に記載の画像処理装置。
【請求項５】
前記第１生成手段は、前記第１の記録用データと前記第２の記録用データとの論理和が前記重複部に対応する画像データと等しくなるように前記第１の記録用データ及び前記第２の記録用データを生成することを特徴とする請求項１から４のいずれか１項に記載の画像処理装置。
【請求項６】
前記記録媒体は、前記第１吐出口列及び前記第２吐出口列の前記吐出口の配列方向と交差する方向に搬送されることを特徴とする請求項１から５のいずれか１項に記載の画像処理装置。
【請求項７】
請求項１から６のいずれか１項に記載の画像処理装置と、前記記録ヘッドとを備えることを特徴とする記録装置。
【請求項８】
複数の吐出口が配列した吐出口列である第１吐出口列と第２吐出口列とが記録媒体との相対的な走査の方向に沿って並び、前記第１吐出口列の端部と前記第２吐出口列の端部とが重複部を形成するように配置された記録ヘッドを用いて、前記吐出口からインクを吐出することにより前記記録媒体に画像を記録するための記録データを生成する画像処理方法であって、
前記重複部に対応する画像データに基づいて、前記第１吐出口列の吐出口のうち前記重複部に配置された吐出口の記録比率が、前記第１吐出口列の中央部から端部に向かう方向に沿って小さくなるように前記第１吐出口列の前記重複部に配置された吐出口のための画像記録用の第１の記録用データを生成し、前記第２吐出口列の吐出口のうち前記重複部に配置された吐出口の記録比率が、前記第２吐出口列の中央部から端部に向かう方向に沿って小さくなるように前記第２吐出口列の前記重複部に配置された吐出口のための画像記録用の第２の記録用データを生成する第１生成工程と、
前記重複部に配置された吐出口から予備吐出を行うための予備吐出データに基づいて、前記第１吐出口列の前記重複部に配置された前記吐出口からインクを予備吐出するための第１予備吐出データを生成し、前記第２の吐出口列の前記重複部に配置された前記吐出口からインクを予備吐出するための第２予備吐出データを生成する第２生成工程と、
前記第１の記録用データ及び前記第１予備吐出データに基づいて、前記第１吐出口列の前記重複部に配置された前記吐出口からインクを吐出するための第１吐出データを生成し、前記第２の記録用データ及び前記第１予備吐出データに基づいて、前記第２の吐出口列の前記重複部に配置された前記吐出口からインクを吐出するための第２吐出データを生成する第３生成工程と、
を備えることを特徴とする画像処理方法。
【請求項９】
前記第３生成工程において、前記第１の記録用データと前記第１予備吐出データとの論理和を取ることにより前記第１吐出データを生成し、前記第２の記録用データと前記第２予備吐出データとの論理和を取ることにより前記第２吐出データを生成することを特徴とする請求項８に記載の画像処理方法。
【請求項１０】
前記第２生成工程において、前記第１及び第２吐出口列の吐出口の配列方向における記録比率が一定となるように前記第１予備吐出データ及び第２予備吐出データを生成することを特徴とする請求項８または９に記載の画像処理方法。
【請求項１１】
前記記録媒体は、前記第１吐出口列及び前記第２吐出口列の前記吐出口の配列方向と交差する方向に搬送されることを特徴とする請求項８から１０いずれか１項に記載の画像処理方法。
【請求項１２】
複数の吐出口が配列した複数の吐出口列をそれぞれ備える第１記録素子基板及び第２記録素子基板が記録媒体との相対的な走査の方向に沿って並び、前記第１記録素子基板の端部と前記第２記録素子基板の端部とが重複部を形成するように配置された記録ヘッドを用いて、前記吐出口からインクを吐出することにより前記記録媒体に画像を記録するための記録データを生成する画像処理装置であって、
前記重複部に対応する画像データに基づいて、前記第１記録素子基板の吐出口のうち前記重複部に配置された吐出口の記録比率が、前記第１記録素子基板の中央部から端部に向かう方向に沿って小さくなるように前記第１記録素子基板の前記重複部に配置された吐出口のための画像記録用の第１の記録用データを生成し、前記第２記録素子基板の吐出口のうち前記重複部に配置された吐出口の記録比率が前記第２記録素子基板の中央部から端部に向かう方向に沿って小さくなるように前記第２記録素子基板の前記重複部に配置された吐出口のための画像記録用の第２の記録用データを生成する第１生成手段と、
前記重複部に配置された吐出口から予備吐出を行うための予備吐出データに基づいて、前記第１記録素子基板の前記重複部に配置された前記吐出口からインクを予備吐出するための第１予備吐出データを生成し、前記第２の記録素子基板の前記重複部に配置された前記吐出口からインクを予備吐出するための第２予備吐出データを生成する第２生成手段と、
前記第１の記録用データ及び前記第１予備吐出データに基づいて、前記第１記録素子基板の前記重複部に配置された前記吐出口からインクを吐出するための第１吐出データを生成し、前記第２の記録用データ及び前記第２予備吐出データに基づいて、前記第２記録素子基板の前記重複部に配置された前記吐出口からインクを吐出するための第２吐出データを生成する第３生成手段と、
を備え、
前記第１予備吐出データにおける記録比率の変化の割合は、前記第１の記録用データにおける記録比率の変化の割合よりも小さく、前記第２予備吐出データにおける記録比率の変化の割合は、前記第１の記録用データにおける記録比率の変化の割合よりも小さいことを特徴とする画像処理装置。
【請求項１３】
複数の吐出口が配列した複数の吐出口列をそれぞれ備える第１記録素子基板及び第２記録素子基板が記録媒体との相対的な走査の方向に沿って並び、前記第１記録素子基板の端部と前記第２記録素子基板の端部とが重複部を形成するように配置された記録ヘッドを用いて、前記吐出口からインクを吐出することにより前記記録媒体に画像を記録するための記録データを生成する画像処理方法であって、
前記重複部に対応する画像データに基づいて、前記第１記録素子基板の吐出口のうち前記重複部に配置された吐出口の記録比率が、前記第１記録素子基板の中央部から端部に向かう方向に沿って小さくなるように前記第１記録素子基板の前記重複部に配置された吐出口のための画像記録用の第１の記録用データを生成し、前記第２記録素子基板の吐出口のうち前記重複部に配置された吐出口の記録比率が前記第２記録素子基板の中央部から端部に向かう方向に沿って小さくなるように前記第２記録素子基板の前記重複部に配置された吐出口のための画像記録用の第２の記録用データを生成する第１生成工程と、
前記重複部に配置された吐出口から予備吐出を行うための予備吐出データに基づいて、前記第１記録素子基板の前記重複部に配置された前記吐出口からインクを予備吐出するための第１予備吐出データを生成し、前記第２の記録素子基板の前記重複部に配置された前記吐出口からインクを予備吐出するための第２予備吐出データを生成する第２生成工程と、
前記第１の記録用データ及び前記第１予備吐出データに基づいて、前記第１記録素子基板の前記重複部に配置された前記吐出口からインクを吐出するための第１吐出データを生成し、前記第２の記録用データ及び前記第２予備吐出データに基づいて、前記第２記録素子基板の前記重複部に配置された前記吐出口からインクを吐出するための第２吐出データを生成する第３生成工程と、
を備え、
前記第１予備吐出データにおける記録比率の変化の割合は、前記第１の記録用データにおける記録比率の変化の割合よりも小さく、前記第２予備吐出データにおける記録比率の変化の割合は、前記第１の記録用データにおける記録比率の変化の割合よりも小さいことを特徴とする画像処理方法。
【手続補正２】
【補正対象書類名】明細書
【補正対象項目名】０００７
【補正方法】変更
【補正の内容】
【０００７】
具体的には、複数の吐出口が配列した吐出口列である第１吐出口列と第２吐出口列とが記録媒体との相対的な走査の方向に沿って並び、前記第１吐出口列の端部と前記第２吐出口列の端部とが重複部を形成するように配置された記録ヘッドを用いて、前記吐出口からインクを吐出することにより前記記録媒体に画像を記録するための記録データを生成する画像処理装置であって、前記重複部に対応する画像データに基づいて、前記第１吐出口列の吐出口のうち前記重複部に配置された吐出口の記録比率が、前記第１吐出口列の中央部から端部に向かう方向に沿って小さくなるように前記第１吐出口列の前記重複部に配置された吐出口のための画像記録用の第１の記録データを生成し、前記第２吐出口列の吐出口のうち前記重複部に配置された吐出口の記録比率が前記第２吐出口列の中央部から端部に向かう方向に沿って小さくなるように前記第２吐出口列の前記重複部に配置された吐出口のための画像記録用の第２の記録用データを生成する第１生成手段と、前記重複部に配置された吐出口から予備吐出を行うための予備吐出データに基づいて、前記第１吐出口列の前記重複部に配置された前記吐出口からインクを予備吐出するための第１予備吐出データを生成し、前記第２の吐出口列の前記重複部に配置された前記吐出口からインクを予備吐出するための第２予備吐出データを生成する第２生成手段と、前記第１の記録用データ及び前記第１予備吐出データに基づいて、前記第１吐出口列の前記重複部に配置された前記吐出口からインクを吐出するための第１吐出データを生成し、前記第２の記録用データ及び前記第２予備吐出データに基づいて、前記第２の吐出口列の前記重複部に配置された前記吐出口からインクを吐出するための第２吐出データを生成する第３生成手段と、を備え、前記第１予備吐出データにおける記録比率の変化の割合は、前記第１の記録用データにおける記録比率の変化の割合よりも小さく、前記第２予備吐出データにおける記録比率の変化の割合は、前記第１の記録用データにおける記録比率の変化の割合よりも小さいことを特徴とする。